(57)【要約】【課題】本発明は、少ない力で根こそぎ草を抜けるようにして草取り時の手と腕の疲労軽減を図り、抜いた後に把持部に残着した土や草を楽に素早く除去して次の草取り操作に素早く移ることができる作業効率の良い草取り具を得るにある。【解決手段】草を把持する把持部を有する草取り具において、該把持部の内側面上を上下方向に密着摺動して前記把持部の内側面に付着した付着物の殆どを掬って脱落させる掬い刃と、草を把持して腕部を傾けたときに地面に当接するテコの支点となる地面当接部を設けることで草取り具を構成している。【選択図】図１５
2018061441.tif 000002
【特許請求の範囲】
【請求項１】
弾性板材からなり対向して設けられて互いの下端が当接すると楔状形態となる把持部と、
該把持部の下端に形成されて地面に刺し込んで草の根を掴むことができる掴み歯と、
前記把持部をそれぞれ上方に延長した上端部を一体的に連結して前記把持部の開閉動の中心になる連結部とした前記把持部の開閉操作を行う腕部と、
前記対向する腕部の間に上下移動可能に設けられて弾性板材を逆Ｕ字状に形成したスクレーパ本体と、
該スクレーパ本体の両下端に設けられて該スクレーパ本体の弾性により前記把持部の内側面に付勢され該スクレーパ本体の上下移動に伴い前記把持部の内側面を上下に密着摺動する掬い刃とを備え、
前記把持部とほぼ同じ幅を有した前記掬い刃は、前記スクレーパ本体の下降操作又は下降動作により前記把持部の内側面に密着摺動しながら前記掴み刃と略同じ位置又は該掴み刃より下方に突き出る位置まで下降する形態をなし、前記把持部の内側面に付着した付着物を掬って除去することを特徴とする草抜き具。
【請求項２】
前記対向する腕部の内側面に沿ってそれぞれ対向して横方向に設けられた枢軸により一端を回転可能に軸支された一対のアームと、
前記枢軸より上方にあって前記アームのそれぞれの他端を一緒に軸支して連結する連結軸と、
前記スクレーパ本体の逆Ｕ字状の折り曲げ部が前記連結軸に馬乗りに配設され、該逆Ｕ字状の折り曲げ部に穿設された通し穴と、
前記連結軸の縦方向に穿設された下部穴と、
前記連結部に縦方向に穿設された上部穴と、
下部穴、及び通し穴、及び上部穴に挿通して挿通後の両端に抜け止め部を設けたガイドバーと、
前記連結部と前記スクレーパ本体の間に設けられて該スクレーパ本体及び前記連結軸を下方に付勢する圧縮ばねとを備え、
前記腕部を閉動すると前記枢軸が相互に近づくことにより前記連結軸及び前記スクレーパ本体はアームを介して前記圧縮ばねの付勢下げ力に抗して上昇し、前記腕部の閉じ力を解放すると前記圧縮ばねの付勢下げ力により前記連結軸を下降させアームを介して腕部が開動すると共に前記スクレーパ本体が下降することを特徴とする前記請求項１に記載の草抜き具。
【請求項３】
前記腕部の外側面に設けられて前記掴み歯を地面に刺し込む力を指で与える指当て部と、
前記草の根を掴んだ前記掴み歯が土に押し付けられた位置を基点にして前記腕部を前記指当て部側に傾けたときに前記指当て部の地面に当接する部位となる地面当接部とを備え、
該地面当接部は地面に当接したときに前記掴み歯が前記草の根を掴んで引き上げる動きのテコの支点となることを特徴とする前記請求項１又は請求項２に記載の草抜き具。
【発明の詳細な説明】
【技術分野】
【０００１】
本発明は、庭や花壇、盆栽の土に生えた雑草を根ごと抜き取る草抜き具に関する。  
【背景技術】
【０００２】
従来、庭や花壇、盆栽の土に生えた雑草（以下、草という）を抜く道具として、特許文献１に開示されている、主部２、２及び除草操作部３、３を含めて構成する除草具本体と、該除草具本体内に上下移動可能に支持案内されるように設けられた土砂取り体６との２部品からなる園芸用除草具が知られている。
除草具本体は、金属製の帯板をＵ字状に曲げて左右対向形態となる腕部を有している。
該腕部の形態は、円弧部１から下方左右に延びる主部２、２と、主部２、２から下方に延びる外側に膨らみ凸形態とすることで内側を溝条部としてなる膨出堤部９、９と、膨出堤部９、９の下方部を内側に寄らせて主部２、２の延長面と同じ位置から下方へ延長された除草操作部３、３と、除草操作部３、３の先端に形成されたＶ字型の両側に刃を有する刃先部４、４と、除草操作部３、３に縦方向に形成したスリット５、５とからなっている。
土砂取り体６は、Ｕ字状の左右対向する部位（以下「棒状部」という）が膨出堤部９、９の溝条部に案内されて長手方向に移動自在に配設され、棒状部の両先端部には内外に拡がって突出形態となるスリット５、５のスリット幅よりも幅広の爪片７，７を設け、その爪片７，７と棒状部との間に設けた切り溝８、８がスリット５、５に係合してスリット５、５の長さの範囲を上下移動可能としている。
草抜き操作は、土に刃先部４、４を刺し込み、根を除草操作部３、３で掴んで引き上げる。
根を掴んだ時は同時に根の周りの土砂も一緒に掴むから、掴みを解放しても粘性を有する土砂は除草操作部３、３に付着する。
除草操作部３、３に付着した土砂を除去する場合には、一方の手で除草具本体を握って保持したまま、主部２、２の間の上方に待機している土砂取り体６を他方の手で押し下げる操作を行うことにより、爪片７、７が付着している土砂を下方に押し下げて除去する。
【先行技術文献】
【特許文献】
【０００３】
【特許文献１】登録実用新案第３１４５１２３号公報
【発明の概要】
【発明が解決しようとする課題】
【０００４】
特許文献１によれば、除草操作部３、３を地面に刺し込んだ後根を掴んで引き上げるときに、土に絡まっている草の根の抵抗に打ち勝って引き上げる力を得るために、除草操作部３、３と草の摩擦抵抗を利用する。
除草操作部３、３は互いに内側に平面なる接触面を有するから、刺し込んだ状態で根を掴むと同時に除草操作部３、３の全面に土砂を掴むことになり掴んだ力は掴んだ土砂の方に大きく分散するので、根を引き上げるために必要な摩擦抵抗はその分減少することになる。  
摩擦抵抗を大きくするには、掴んだ土砂を押しつぶしながら根に必要な摩擦抵抗を得るまで主部２、２を手で強く握って除草操作部３、３の把持力を大きくしなければならないので、草抜き作業を連続して繰り返すと作業する手が疲れてしまうという欠点があった。
【０００５】
土砂も一緒に掴んで草を引き上げて抜いた後、掴みを解放して除草操作部３、３を開くと掴んだ土砂は粘性をもっているので除草操作部３、３の内側面に付着して残る。
そこで、土砂取り体６を上方位置から下方に移動させると、土砂取り体６の下端に設けられた爪片７、７はスリット５、５に案内されてスリット５、５の上端部から下端部に移動するので、除草操作部３、３に付着した土砂は爪片７、７により押し下げることができる。
押し下げられた土砂は、乾燥して粘性が小さければ押し下げられている間に除草操作部３、３の内側面から離れて脱落するが、通常水分を含んで粘性が大きいから爪片７、７がスリット５、５の下端で停止すると押し下げられていた土砂も停止して留まる。
爪片７、７はさらに下降することができないので、押し下げられた土砂はスリット５、５の下端より下の部分の内側面に付着したまま留まって残る。
即ち、除草操作部３、３のスリット５、５の下端から下方の先端迄に付着して溜っている土砂は、爪片７、７が押し下げることができないから除去できない。
その為、次の草を抜く時に除草操作部３、３を地面に刺し込むと、付着した土砂は再び上方に押し上げられるので、この押し上げられた土砂の量は次の刺し込みにより掴んだ土砂の量に加えられるから掴み力は合わせた量の土砂の方に多く分散する。
分散すると、根に及ぼす掴む力は損なわれて小さくなり摩擦抵抗が少なくなるので除草操作部３、３を確実に掴んで引き上げるためには、前回より掴む力を大きくしなければならない。
従って、この操作を連続して繰り返すと手が疲れるので草抜き作業を長く続けることは困難であるという欠点があった。
【０００６】
前記欠点を解消するには、次の草を抜く前に溜っている土砂を全て除去する必要があった。
除去するには、除草具本体を持つ手ではなくもう一方の手で除草操作部３、３のスリット５、５の下端より下方部に溜った土砂を掻き落とすが、手や爪が土砂で汚れるという欠点があった。
そこで、溜った土砂を除去するために土砂落としの道具を使えば手や爪は汚れない。
しかし、草を抜く度毎に、最初に土砂取り体６を下降させてスリット５、５の下端まで付着した土砂を押し下げた後上昇させ、その後土砂落としの道具を取り上げてスリット５、５の下端より除草操作部３、３の先端までに付着して残っている土砂を狙って掻き落としながら除去するという煩わしい操作をしなければならず、また１回毎の操作時間が長くなるので草取り作業の効率が悪いという欠点があった。
【０００７】
また、除草操作部３、３を地面に刺し込むには、主部２、２を握った手が滑らないようにしっかり握る必要がある。
そうすると、地面に刺し込む前に除草操作部３、３が互いに近づき、切れ易い茎の部分を押圧して掴んでしまう。
草の根は地中にしっかり絡み付いているから、この状態で引き上げると根より引張り強さの弱い茎の掴んだ場所で切れるから、草を根こそぎ引き上げることができないという欠点があった。
【０００８】
また、特許文献１によれば、除草操作部３、３に設けられたスリット５、５に案内されて移動できる爪片７、７の横幅は除草操作部３、３の横幅より著しく小さい。
従って、爪片７、７がスリット５、５の長さの範囲を移動して除草操作部３、３に付着した土砂を押し下げたとしても、爪片７、７の横幅内にある土砂は押し下げできるが、爪片７、７の横幅から外側に付着した土砂は押し下げできないで残る。
残った土砂を除去するには、前述と同様に土砂落としの道具を使って除草操作部３、３に付着して残っている土砂を爪片７、７に引っ掛かるのを避けながら掻き落として除去するという煩わしい操作をしなければならず、また１回毎の操作時間が長くなるので草取り作業の効率が悪いという欠点があった。
【０００９】
また、草を掴む時に除草操作部３、３が土砂に触れない茎の位置を掴めば、主部２、２を掴む力は全て茎を掴む力となる。
そのようにして土砂を掴まないで引き抜くことができたとしても、掴んだ時に潰された草から出る汁の粘性により除草操作部３、３の内面に草が付着したままになることが多い。
その場合も爪片７、７が移動できる範囲に付着した草であれば除去することができるが、スリット５、５の下端から下方側には爪片７、７が移動できないので、移動できない範囲に付着した草は除去することができない。
従って、再び次の草抜き作業を行うと、付着して残った草が邪魔して掴んだ草に引き上げ力が十分に及ばないので滑る。
そこで、次の草を掴む前に除草具本体を持つ手と反対の手でスリット５、５の下端より先端までに付着して残っている草を除去するという煩わしい作業をしなければならないという欠点があった。
【００１０】
また、除草操作部３、３に土砂が付着しないためには前述のように除草操作部３、３で土砂を掴まないようにして茎だけ掴むが、茎を掴んだ場合は地中に張った根が土にしっかり絡み付いているために根より引張り抵抗の弱い茎の部分から切れて根こそぎ抜くことができない。
そうすると、残っている根により十分な養分が供給されて切れた部分から芽が再生して茎や葉が早く成長する。
従って、次回再び草取り作業をするまでの期間が短くなるので頻繁に草取りをしなければならから、効率の悪い草取り作業になるという欠点があった。
【００１１】
また、茎又は根に把持力が加えられると茎又は根からしぼり出された水分が、潤滑作用を発生させて掴んだ茎又は根が滑るので、確実に草を引き上げることができないときがあった。
掴んだ茎又は根が滑らないようにして引き上げるには、主部２、２を掴む力を大きくして除草操作部３、３との摩擦力を大きく保ちながら引き上げなければならないから、草抜き作業を繰り返し続けると手が疲れてしまうという欠点があった。
【００１２】
次に、除草操作部３、３で掴んだ草を引き上げるときは、土に絡み付いている根の抵抗に打ち勝って引き上げるための腕の力が必要となるから、連続して引き抜き作業を繰返し行うと腕が疲れてしまうという欠点があった。
【００１３】
また、爪片７、７は内側に突起している部位（以下、「内側爪片７ａ、７ａ」という）が形成されており、茎又は根を掴むとき内側爪片７ａ、７ａが互いに干渉して除草操作部３、３はお互いに当接できないために隙間ができる。
従って、該隙間の大きさより細い茎又は根は掴めないから引き上げることができないという欠点があった。
【００１４】
もし、内側爪片７ａ、７ａの高さが小さくて除草操作部３、３の間の隙間が小さかったとすれば、その分細い茎又は根を掴むことができるが、内側爪片７ａ、７ａの高さが小さいことにより除草操作部３、３に付着した土砂を押し下げると、内側爪片７ａ、７ａは付着した土砂に潜り込んで土砂全体を押し下げできなくなり、残った土砂は手で取り除くという煩わしい作業をしなければならないという欠点があった。
【００１５】
また、内側爪片７ａ、７ａの厚さは薄いので、除草操作部３、３で茎又は根を掴むときに内側爪片７ａ、７ａで掴んでしまうと、掴んだ位置で切断することが多く、切断位置から下の部分は引き上げることができない。
即ち、残っている根により十分な養分が供給されて切れた部分から芽が再生して茎や葉が早く成長する。
従って、次回再び草取りをするまでの期間が短くなるので頻繁に草取りをしなければならから、効率の悪い草取り作業になるという欠点があった。
【課題を解決するための手段】
【００１６】
本発明は以上のような従来の欠点に鑑み、草を根こそぎ抜くときに、複数の煩わしい操作及び手と腕の大きい力を必要とする操作を軽減することにより、単純な操作による操作時間の短縮と、手と腕の疲れが少ない効率の良い草抜き作業が連続してできる草抜き具を提供することを目的としている。
【００１７】
＜請求項１記載の発明＞
上記目的を達成する為に、請求項１に記載の発明は、弾性板材からなり対向して設けられて互いの下端が当接すると楔状形態となる把持部と、
該把持部の下端に形成されて地面に刺し込んで草の根を掴むことができる掴み歯と、
前記把持部をそれぞれ上方に延長した上端部を一体的に連結して前記把持部の開閉動の中心になる連結部とした前記把持部の開閉操作を行う腕部と、
前記対向する腕部の間に上下移動可能に設けられて弾性板材を逆Ｕ字状に形成したスクレーパ本体と、
該スクレーパ本体の両下端に設けられて該スクレーパ本体の弾性により前記把持部の内側面に付勢され該スクレーパ本体の上下移動に伴い前記把持部の内側面を上下に密着摺動する掬い刃とを備え、
前記把持部とほぼ同じ幅を有した前記掬い刃は、前記スクレーパ本体の下降操作又は下降動作により前記把持部の内側面に密着摺動しながら前記掴み刃と略同じ位置又は該掴み刃より下方に突き出る位置まで下降する形態をなし、前記把持部の内側面に付着した付着物を掬って除去することで草抜き具を構成している。
ここで言う付着物とは、庭や花壇、盆栽の土又は草の構造部分を指している。
【００１８】
＜請求項２記載の発明＞
また、請求項２に記載の発明は、前記対向する腕部の内側面に沿ってそれぞれ対向して横方向に設けられた枢軸により一端を回転可能に軸支された一対のアームと、
前記枢軸より上方にあって前記アームのそれぞれの他端を一緒に軸支して連結する連結軸と、
前記スクレーパ本体の逆Ｕ字状の折り曲げ部が前記連結軸に馬乗りに配設され、該逆Ｕ字状の折り曲げ部に穿設された通し穴と、
前記連結軸の縦方向に穿設された下部穴と、
前記連結部に縦方向に穿設された上部穴と、
下部穴、及び通し穴、及び上部穴に挿通して挿通後の両端に抜け止め部を設けたガイドバーと、
前記連結部と前記スクレーパ本体の間に設けられて該スクレーパ本体及び前記連結軸を下方に付勢する圧縮ばねとを備え、
前記腕部を閉動すると前記枢軸が相互に近づくことにより前記連結軸及び前記スクレーパ本体はアームを介して前記圧縮ばねの付勢下げ力に抗して上昇し、前記腕部の閉じ力を解放すると前記圧縮ばねの付勢下げ力により前記連結軸を下降させアームを介して腕部が開動すると共に前記スクレーパ本体と共に前記掬い刃が下降することで前記請求項１記載の草抜き具を構成している。
【００１９】
＜請求項３記載の発明＞
また、請求項３に記載の発明は、前記腕部の外側面に設けられて前記掴み歯を地面に刺し込む力を指で与える指当て部と、
前記草の根を掴んだ前記掴み歯が土に押し付けられた位置を基点にして前記腕部を前記指当て部側に傾けたときに前記指当て部の地面に当接する部位となる地面当接部とを備え、
該地面当接部は地面に当接したときに前記掴み歯が前記草の根を掴んで引き上げる動きのテコの支点となることで前記請求項１又は請求項２に記載の草抜き具を構成している。
ここで述べる基点とは、掴み歯を土に押し付けた場所を移動させない位置を意味する。
【発明の効果】
【００２０】
以上の説明から明らかなように、本発明にあっては次のような効果が得られる。
【００２１】
＜請求項１記載の発明の効果＞
請求項１に記載の発明において、弾性板材からなり対向して設けられて互いの下端が当接すると楔状形態となる把持部と、
該把持部の下端に形成されて地面に刺し込んで草の根を掴むことができる掴み歯と、
前記把持部をそれぞれ上方に延長した上端部を一体的に連結して前記把持部の開閉動の中心になる連結部とした前記把持部の開閉操作を行う腕部と、
前記対向する腕部の間に上下移動可能に設けられて弾性板材を逆Ｕ字状に形成したスクレーパ本体と、
該スクレーパ本体の両下端に設けられて該スクレーパ本体の弾性により前記把持部の内側面に付勢され該スクレーパ本体の上下移動に伴い前記把持部の内側面を上下に密着摺動する掬い刃とを備えることで草抜き具を構成している。
把持部は下端に形成された掴み歯が当接すると楔状形態となるので、掴み歯を茎から僅か離れて挟むようにしてから地面に刺し込むと、地面の抵抗が把持部の外側面に作用して把持部が互いに近づき、掴み歯が主根に当接して挟むと刺し込みが停止する。
従って、把持部は深く刺し込むことができないので、主根と一緒に大量の土を挟み込むことがないという効果が得られる。
掴み歯を地面に刺し込んだ後腕部に閉じ力を与えて主根を掴むと、把持部は土も一緒に掴むことになる。
しかし、楔状形態の把持部に挟み込まれた土は、把持力を与えると広がりのある上方に押し上げられて掴み歯が主根を掴む力に抗しない。
従って、掴み歯が主根を掴むために腕部を手で握る力は、全て掴み歯が主根を掴む力として効率よく使われるという効果が得られる。
【００２２】
主根を掴んで引き上げた後把持部を開くと、把持部内側面には一緒に掴まれた土が付着して残る。
この状態で上方に待機しているスクレーパ本体を下降させると、スクレーパ本体の下端に設けられて把持部の内側面に密着摺動する掬い刃が、把持部の下端位置又は把持部下端を過ぎる位置まで下降するので、把持部の内側面に付着している土を掬い落とすことができる。
掬い刃は、把持部と略同じ幅を有しており、把持部の内側面に付着している土を殆ど残さず掬い落とすことができる。
掬い落とすという意味は、把持部の内側表面に付着した土の被膜をも取り除くということである。
把持部の内側表面に付着した土の被膜は、短時間で乾燥して表面に固着する。
そうすると、次に掴んだ土の付着が強固になり、更に被膜が堆積して厚くなるので、付着した土の除去が徐々に困難になる。
即ち掬い刃は、把持部の内側表面に付着した土の被膜を、常に固着して残らないように乾燥する前に全てを掬い取ることができる。
従って、土落としの道具をもう一方の手に持って、草を引き上げる度毎に把持部に付着した土を狙いながら掻き落として除去するという煩わしい操作から解放されて、単純な操作だけで効率の良い草抜き作業ができるという効果が得られる。
【００２３】
＜請求項２記載の発明の効果＞
請求項２に記載の発明において、前記対向する腕部の内側面に沿ってそれぞれ対向して横方向に設けられた枢軸により一端を回転可能に軸支された一対のアームと、
前記枢軸より上方にあって前記アームのそれぞれの他端を一緒に軸支して連結する連結軸と、
前記スクレーパ本体の逆Ｕ字状の折り曲げ部が前記連結軸に馬乗りに配設され、該逆Ｕ字状の折り曲げ部に穿設された通し穴と、
前記連結軸の縦方向に穿設された下部穴と、
前記連結部に縦方向に穿設された上部穴と、
下部穴、及び通し穴、及び上部穴に挿通して挿通後の両端に抜け止め部を設けたガイドバーと、
前記連結部と前記スクレーパ本体の間に設けられて該スクレーパ本体及び前記連結軸を下方に付勢する圧縮ばねとを備えることで前記請求項１の草抜き具を構成している。
即ち、前記腕部を手で握って閉動すると枢軸が相互に近づくことにより、前記連結軸及び前記スクレーパ本体はアームを介して前記圧縮ばねの付勢下げ力に抗して上昇し、前記腕部の閉じ力を解放すると前記圧縮ばねの付勢下げ力により前記連結軸が下降するので、アームを介して腕部が開動すると共に前記スクレーパ本体も前記連結軸と共に下降する。
従って、スクレーパ本体の下端に設けられた掬い刃もスクレーパ本体の付勢により前記把持部の内側面に密着摺動しながら上昇又は下降する。
腕部を閉動して把持部で草の主根を掴むときは、掬い刃は上方に移動して掴み歯の位置に存在しないから、掴み歯は掬い刃に邪魔されずに主根を掴んで引き上げることができる。
主根を掴んで引き上げた直後は、把持部には抜いた草と、草と一緒に掴んだ土が掴まれている。
そして、腕部を開動して把持部を開くと、スクレーパ本体が下降するに伴い、掬い刃が把持部の内側面に密着摺動して下降するので、把持部に付着している土を、場合によっては土と一緒に付着している草も自動的に掬い落とす。
従って、次に抜く草を掴む前に土落としの道具を手に持って土落とし作業するという煩わしい操作をすることなしに、次の草を掴むために把持部を開いただけで把持部に付着している土を、場合によっては土と一緒に付着している草も自動的に除去できるので操作時間が短縮できるから、作業効率の良い草抜き作業ができるという効果が得られる。
【００２４】
＜請求項３記載の発明の効果＞
請求項３に記載の発明において、前記腕部の外側面に設けられて前記掴み歯を地面に刺し込む力を指で与える指当て部と、
前記草の根を掴んだ前記掴み歯が土に押し付けられた位置を基点にして前記腕部を前記指当て部側に傾けたときに前記指当て部の地面に当接する部位となる地面当接部とを備え、
該地面当接部は地面に当接したときに前記掴み歯が前記草の根を掴んで引き上げる動きのテコの支点となるようにしたことで前記請求項１又は請求項２に記載の草抜き具を構成している。
即ち、地面から少し下に潜っている草の根（即ち主根）を掴むために掴み歯を地面に刺し込むとき、腕部を軽く握っていても指当て部に指を当てて押し下げるだけで、腕部を握った手が滑らずに素早く楽に刺し込めて手の疲れが軽減できるという効果が得られる。
【００２５】
また、掴み歯で主根を掴んだ後に腕部を傾けると、掴み歯の傾けた側の角部の位置で主根が曲げられ、更に該角部が主根に食い込むので、掴みの摩擦抵抗が増す。
従って、主根を引き上げるために腕部を握って主根を把持する力は、腕部を傾けないで真上に引き上げる場合より軽減されるという効果が得られる。
【００２６】
また、地中に成長している主根及び側根が土にしっかり絡み付いているために大きい引き抜き力が必要であっても、腕部を小さい力で傾けるだけで地面当接部を支点としたテコの原理を利用して主根を引き上げることができる。
従って、作業する腕には主根を真上に引き上げる力を必要とせず、腕部を握った手を軽く横方向に傾けるだけで良いから、腕の疲れを軽減できるという効果が得られる。
【００２７】
引き上げる草の主根または側根が長い場合、腕部を傾けただけでは主根または側根を地面から離れるところまで引き上げることができなかったとしても、テコの原理で引き上げた段階で主根または側根は土との絡み付きが解放されるので、その後は腕部を握ったままの状態で楽に引き上げることができる。
【００２８】
従って、請求項３に記載の発明では、手と腕の疲れが従来よりも軽減されるので、連続して効率の良い草抜き作業ができるという効果が得られる。
【図面の簡単な説明】
【００２９】
【図１】本発明の第１の実施の形態における正面図及びＥ−Ｅ断面図、Ｄ−Ｄ断面図。
【図２】本発明の第１の実施の形態における草の主根を掴む状態の正面図。
【図３】代表的な草の構造図。
【図４】本発明の第１の実施の形態における抜いた草を放そうとしたときの状態図。
【図５】本発明の第１の実施の形態における付着した土及び草の除去状態図。
【図６】本発明の第２の実施の形態における正面の断面図。
【図７】本発明の第２の実施の形態における草の主根を掴む状態の正面図。
【図８】本発明の第２の実施の形態における抜いた草を放そうとしたときの状態図。
【図９】本発明の第２の実施の形態における付着した土及び草の除去状態図。
【図１０】本発明の第３の実施の形態における正面及び側面の断面図。
【図１１】本発明の第３の実施の形態における把持部を閉じたときの断面図。
【図１２】本発明の第４の実施の形態における正面の断面図及びＣ−Ｃ断面図。
【図１３】本発明の第５の実施の形態における正面の断面図。
【図１４】本発明の第５の実施の形態における把持部を閉じたときの断面図。
【図１５】本発明の第６の実施の形態における正面の断面図。
【図１６】本発明の第６の実施の形態における草抜き操作の状態図。
【図１７】本発明の第６の実施の形態における角部が主根に食い込む状態の拡大図。
【図１８】本発明の第１の実施の形態における草抜き開始前に戻す操作図。
【発明を実施するための形態】
【００３０】
以下、本発明を実施するための形態である実施例を図面に示し説明する。
【００３１】
本発明の前記の目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００３２】
図１における本発明の第１の実施の形態において、本発明の草抜き具は弾性板材を対向させて把持部１、１を設け、把持部１、１の夫々の下端に草Ｇの主根１４を掴むことができる掴み歯７、７を設けている。
掴み歯７、７が当接すると把持部１、１は掴み歯７、７を先端とした楔状の形態となる。
把持部１、１をそれぞれ上方に延長して腕部２、２を設けると共に、対向する腕部２、２の両方の上端部を一体的に繋げて逆Ｕ字状に形成しており、逆Ｕ字状の頂上部は腕部２、２の開閉動の中心となる連結部３となっている。
腕部２、２を手で握って閉動すると連結部３は腕部２、２を開こうとする付勢力が生じる。
また、腕部２、２を開閉操作すると、把持部１、１も開閉動する。
腕部２、２を閉動すると把持部１、１も閉動して把持部１、１の下端に設けられた掴み歯７、７が互いに当接するので、掴み歯７、７で主根１４を掴むことができる。
【００３３】
対向する腕部２、２の内側には逆Ｕ字状に形成された弾性板材からなるスクレーパ本体４が設けられ、スクレーパ本体４の両下端に設けられた掬い刃６、６は、スクレーパ本体４の弾性により把持部１、１の内側面にそれぞれ付勢されて密着している。
腕部２、２の内側には、幅の両辺から内側に直角に立ち上がり、先端がＬ字状に対向して曲げられたガイドレール２０、２０が設けられており、スクレーパ本体４はその両辺がガイドレール２０、２０の内側に案内されて上下に移動可能となっている。
従って、スクレーパ本体４の逆Ｕ字状の折り曲げ部４ａを指で下方に押し下げると、掬い刃６、６は把持部１、１の内側面に密着摺動して下降するから、把持部１、１の内側面に付着している付着物を掬って除去することができる。
掬い刃６、６の幅は、把持部１、１に付着した殆どの付着物を除去できるように把持部１、１の幅と略同じにしている。
付着物の除去が終わったらスクレーパ本体４を上方に持ち上げる。
このとき、掬い刃６、６はスクレーパ本体４の弾性により把持部１、１の内側面にそれぞれ付勢され密着して摩擦抵抗が生じているからスクレーパ本体４は自重で下降することなく停止している。
【００３４】
次に、草Ｇの構造は多種にわたるが、ここでは図３に示す一般的な構造にて説明する。
図３に示すように、地面１６の上側には草Ｇの茎１５及び茎１５から葉１３が生えて成長している。
地中１８の中に成長している主根１４は茎１５に繋がり栄養分を供給しており、主根１４からは複数の側根１４ａが伸びて土から吸収した栄養分を茎１５に送っている。
主根１４及び側根１４ａは地中１８の土にしっかりと絡みついて、地面１６から上の部分の茎１５及び葉１３を支えている。
草抜き具を使わずに手だけで草抜きをするときは、通常地面１６の上に出ている部分しか掴めないので、茎１５又は葉１３を掴んで引き上げる。
そのとき、側根１４ａは地中１８の土にしっかりと絡みついていて、主根１４を支えているので、茎１５又は葉１３を引き上げると主根１４が地中１８に残ったまま茎１５又は葉１３の部分で切れて、主根１４及び側根１４ａは地中１８に残ることが多い。
主根１４が残ると切れた部分から新しい茎１５や葉１３が発芽し、早い時期に再び成長した草Ｇとなるから、草取り作業の間隔を短くしなければならない。
従って、草Ｇを抜く時は主根１４及び側根１４ａを一緒に引き上げて根こそぎ引き上げることが望ましい。
地面１６に近い位置に埋もれている主根１４の上部を掴んで引き上げると、主根１４は側根１４ａと共に引き上げることができるが、指先では地面１６より下にある主根１４を掴むことはできない。
【００３５】
そこで、本発明において草を抜くときは腕部２、２を手で握り、把持部１、１が茎１５を跨いでから、掴み歯７、７を互いに茎１５に近づけた後に地面１６に刺し込むと、図２に示すように把持部１、１が形作る楔の効果で地面１６に少し食い込んで地中１８にある主根１４の上方部分を挟む。
掴み歯７、７が主根１４に当接して挟むと把持部１、１の楔状の外側面に加えられる地面１６の抵抗で刺し込みが停止する。
更に刺し込む力を加えても把持部１、１の外側面の押圧面積が大きいので、地面１６へ深く刺し込むことができないから、主根１４と一緒に掴む土１７の量は少ない。
また、楔状形態の把持部１、１に挟み込まれた土１７は、把持力を与えると広がりのある上方に押し上げられて掴み歯７、７が主根１４を掴む力に抗しない。
従って、腕部２、２を手で握って閉動させる力は全て掴み歯７、７が主根１４を掴む力に効率よく使われるという効果が得られる。
そして、腕部２、２を握る力を加えて閉動すると、掴み歯７、７で挟んでいる主根１４をしっかり掴むことができるので、掴みながら引き上げると側根１４ａと共に引き上げることができるから、茎１５、葉１３も含め草Ｇ全体を引き上げることができる。
【００３６】
ただし、把持部１、１に挟み込まれた土１７をそのまま残して、次の草を抜くために刺し込みと掴みの操作を数回繰り返すと、把持部１、１の内側に土１７の堆積量が増え、掴み歯７、７が主根１４を掴む力を徐々に邪魔してくるので、草抜き操作を１回行う毎に土１７を除去する方が、土１７の溜り具合を気にせずに作業ができる。
【００３７】
主根１４を引き上げた後、腕部２、２を握る力を抜いて開動すると掴み歯７、７が開く。
このとき、掴まれた土１７は水分を含んで粘性を持っているので、図４に示すようにその一部が土１７ａ、土１７ｂとして把持部１、１に付着して残る。
把持部１、１に土１７ａ、土１７ｂが付着したまま次の草Ｇを抜くときは、土１７ａ、土１７ｂを介して主根１４とさらに次の土１７を一緒に掴むことになる。
この操作を繰返すと、土１７ａ、土１７ｂ及び次に掴まれた土１７の堆積量が増える。
そうなると、主根１４は掴み歯７、７で掴まれると堆積した土１７の中にめり込み、掴み歯７、７が主根１４を掴む力が分散されるので、掴みが滑って確実に引き上げできないことがある。
即ち、掴み歯７、７が主根１４を引き上げできる把持力を得るために腕部２、２を握って閉じる力は、土１７ａ、土１７ｂの付着が無いときのよりも少し大きくしなければならない。
掴み歯７、７は掴みが滑ると主根１４から茎１５の位置を滑りながら葉１３の付け根に引っ掛かるので、更に引き上げると引張り抵抗に弱い茎１５を引き切ってしまい、主根１４及び側根１４ａは地中１８に残ってしまう。
土１７ａ、土１７ｂ及び土１７が堆積した状態の抵抗に打ち勝って主根１４を確実に掴むには、腕部２、２を大きい力で握れば良いが、この操作を連続して繰返すと手が疲れる。
また、土１７ａ、土１７ｂの粘性が大きいときには、図４に示すように引き抜かれた草Ｇが土１７ａ又は土１７ｂに付着して落ちないで掴みを邪魔するときがあるが（図４では土１７ａに付着した状態を示している）、この状態で次に引き上げる主根１４を確実に掴むには、更に腕部２、２を握る力を大きくしなければならないので連続で繰返し作業すると手が疲れる。
【００３８】
土１７ａ、土１７ｂ及び土１７の堆積による不具合を避けるために、従来は草Ｇを引き上げて次の草取り操作に移る前に、草抜き具を持つ手ではなくもう一方の手を使って土１７ａ、土１７ｂを取り除く作業をすることになるが、手で直接取り除くと手が汚れるので煩わしい。
また、除去具を使って取り除けば手は汚れないが、常に片手に除去具を持って付着した土１７ａ、土１７ｂを除去しなくてはならないので煩わしい。
【００３９】
そこで、本発明の第１の実施の形態では、図５に示すように、把持部１、１を開いた後草Ｇと土１７ａ、土１７ｂが付着した状態で、スクレーパ本体４の逆Ｕ字状の折り曲げ部４ａを押し下げてスクレーパ本体４を下降させる。
掬い刃６、６は、スクレーパ本体４の弾性により把持部１、１の内側面に付勢されて密着しているのでスクレーパ本体４が下降すると把持部１、１の内側面に密着摺動して下降するから、把持部１、１に付着した土１７ａ、土１７ｂを掬い落す。
また、土１７ａ、土１７ｂの粘性により把持部１、１に草Ｇも付着して残っていたとしても、土１７ａ、土１７ｂと一緒に除去される。
掬い刃６、６は掴み歯７、７と略同じ位置又は掴み歯７、７より下方に突き出る位置まで下降できるので、把持部１、１に付着した土１７ａ、土１７ｂを殆ど残さず掬い落とすことができる。（図５では下方に突き出る状態を示す）
図１に示す把持部１、１の幅をＳ１、掬い刃６、６の幅をＳ２とすると、Ｓ２がＳ１の８０％以上を有していれば、掬い刃６、６が下降した後に把持部１、１の両辺の縁に土１７ａ、土１７ｂの一部が付着して残っていたとしてもその付着量は少なく、また、土の塊として残ることがないので、次に主根１４を掴む邪魔をしないから、引き上げるとき腕部２、２を大きい力で握る必要はない。
土１７ａ、土１７ｂを除去した後、図１８に示すように逆Ｕ字状の折り曲げ部４ａを指で押し上げてスクレーパ本体４を上方に戻せば掬い刃６、６も上昇するので、即時に次の草Ｇを抜く操作を行うことができる。
【００４０】
即ち、草Ｇを掴んで引き上げた後、スクレーパ本体４を押し下げるだけで、即ち一回の除去操作を行うだけで、手を汚さずに把持部１、１に付着した土１７ａ、土１７ｂを、更に場合によっては付着した草Ｇも同時に、残さずに取り除くことができる。  
従って、除去具を他方の手に持って草Ｇを抜く度毎に付着して残った土１７ａ、土１７ｂを掻き落とす操作が不要だから操作時間が短縮でき、効率の良い草抜き作業を続けることができるという効果が得られる。
本発明の第１の実施の形態では、草抜き作業を繰り返す中で土１７の堆積により掴み力を増す必要を感じたときに除去する操作を行えば良いが、除去が必要かどうか考えながら作業を行うより、毎回除去したとしても従来の除去操作よりも作業の負担は少ない。
【実施例２】
【００４１】
次に本発明の異なる実施の形態について説明する。
なお、これらの本発明の異なる実施の形態の説明に当たって、前記本発明の第１の実施の形態と同一構成部分には同一符号を付して重複する説明を省略する。
【００４２】
図６における本発明の第２の実施の形態において、前記本発明を実施するための第１の実施の形態と異なる点は、連結部３の上方に設けたノブ１１を押し下げることによりスクレーパ本体４を下降させて、把持部１、１の内側に付着して残った土１７ａ、土１７ｂを除去できるようにしている。
【００４３】
スクレーパ本体４を上下動させる形態について述べる。
連結部３の中央部に穿設された穴に縦方向にスリーブ５が固設されている。
スリーブ５の内径にガイドされて上下動できる押し棒９の上端にはノブ１１が固設されている。
ノブ１１と連結部３の間には押し上げばね１０が押し棒９に挿通されて設けられており、押し棒９は押し上げばね１０の付勢力により上昇端に保持されている。
スクレーパ本体４は、逆Ｕ字状の折り曲げ部４ａに穿設された通し穴８に押し棒９の下端が挿入固定されている。
スクレーパ本体４の両下端に設けられた掬い刃６、６は、スクレーパ本体４の弾性により把持部１、１の内側面に付勢されて密着しているので、ノブ１１を押し下げて押し棒９を下降させるとスクレーパ本体４も下降するから把持部１、１の内側面に密着摺動して下降する。
ノブ１１の押し下げを解放すると、押し棒９は押し上げばね１０の付勢により上昇するので、スクレーパ本体４も上昇すると共に掬い刃６、６も把持部１、１に密着摺動して上昇する。
【００４４】
図７に示すように把持部１、１で主根１４を掴む状態は、前記本発明の第１の実施の形態における図２を示して説明した内容と同じである。
即ち、把持部１、１が茎１５を跨いでから、掴み歯７、７を互いに茎１５に近づけてから地面１６に刺し込むと、図７に示すように把持部１、１が形作る楔の効果で地面１６に少し食い込んで地中１８にある主根１４の上方部分を挟む。
掴み歯７、７が主根１４に当接して挟むと把持部１、１の楔状の外側面に加える地面１６の抵抗で刺し込みが停止する。
更に刺し込む力を加えても把持部１、１の外側面の押圧面積が大きいので、地面１６へ深く刺し込むことができないから、主根１４と一緒に掴む土１７の量は少ない。
その後腕部２、２を握って閉動すると、掴み歯７、７で挟んでいる主根１４をしっかり掴むことができるので、掴みながら引き上げると側根１４ａと共に引き上げることができるから、茎１５、葉１３も含め草Ｇ全体を引き上げることができる。
【００４５】
主根１４を引き上げた後、腕部２、２を開動して掴み歯７、７を開くと、  図８に示すように、前述の図４で示した状態と同様に、掴まれた土１７は水分を含んで粘性を持っているのでその一部が土１７ａ、土１７ｂとして把持部１、１に付着して残る（図８においても、草Ｇが付着して残った状態を示している）ので、そのまま次の草抜き操作に入ると前述と同様の不具合が生じる。
【００４６】
そこで、本発明の第２の実施の形態では、図９に示すように、把持部１、１を開いた状態でノブ１１を押し下げると、押し棒９が下降し、押し棒９の下端に固定されたスクレーパ本体４も下降する。
掬い刃６、６は、スクレーパ本体４の弾性により把持部１、１の内側面に付勢されて密着しているのでスクレーパ本体４が下降すると把持部１、１の内側面に密着摺動して下降するから、把持部１、１に付着した土１７ａ、土１７ｂを掬い落す。
また、土１７ａ、土１７ｂの粘性により把持部１、１に草Ｇも付着していたとしても、土１７ａ、土１７ｂと一緒に掬い落とされる。
掬い刃６、６は掴み歯７、７と略同じ位置又は掴み歯７、７より下方に突き出る位置まで下降できるので、把持部１、１に付着した土１７ａ、土１７ｂは殆ど残さず掬い落とすことができる。（図９では下方に突き出る状態を示す）
土１７ａ、土１７ｂを除去した後、ノブ１１を押し下げている手を放せば、押し棒９は押し上げばね１０の付勢により上昇するから掬い刃６、６も上昇する。
【００４７】
即ち、把持部１、１が主根１４を掴んで引き上げて開いた後、腕部２，２を手に持った状態で他方の手でノブ１１を押し下げるだけで手を汚さずに把持部１、１に付着した土１７ａ、土１７ｂを、更に場合によっては付着した草Ｇも全てを同時に除去することができるという効果が得られる。
押し棒９は押し下げ力を解放すると押し上げばね１０の付勢により上昇するので、押し棒９の下端に固定されたスクレーパ本体４が上昇するから掬い刃６、６も上昇して把持部１、１の上方に戻る。
従って、スクレーパ本体４及び掬い刃６、６を戻す操作は必要ないので操作時間が短縮でき、効率の良い草抜き作業を続けることができるという効果が得られる。
【実施例３】
【００４８】
図１０における本発明の第３の実施の形態において、前記本発明を実施するための第２の実施の形態と異なる点は、腕部２、２の閉動又は開動に伴い掬い刃６、６が自動的に上下動する形態としている。
図１０の（ａ）図は正面のＢ−Ｂ断面図、図１０の（ｂ）図は側面のＡ−Ａ断面図を表している。
対向する腕部２、２の内側面に沿って横方向に枢軸２４、２４がそれぞれ対向して設けられている。
枢軸２４、２４はそれぞれ両端が腕部２、２の板幅の両辺に立ち上げられた側板２３、２３に固定されている。
枢軸２４、２４により一端を回転可能に軸支された一対のアーム２５、２５はそれぞれの他端を連結軸２２により一緒に軸支されて連結しており、連結軸２２は枢軸２４、２４より上方になるよう配置されている。
スクレーパ本体４の逆Ｕ字状の折り曲げ部４ａには通し穴８が穿設され、逆Ｕ字状の折り曲げ部４ａが連結軸２２に馬乗りに配設されている。（Ａ−Ａ断面図に示す逆Ｕ字状の折り曲げ部４ａは説明上厚く表示している）
連結軸２２には下部穴１２が縦方向に穿設されている。
対向する腕部２、２の上端部が繋がった連結部３には上部穴１９が縦方向に穿設されている。
ガイドバー２１は下部穴１２、通し穴８及び上部穴１９に挿通しており、挿通後の両端に抜け止め部２１ａ及び抜け止め部２１ｂを設けている。
上部穴１９と通し穴８の間にはガイドバー２１に挿通された圧縮ばね２６が設けられており、圧縮ばね２６の付勢下げ力により連結軸２２が下降するに伴いアーム２５、２５を介して腕部２、２が開動する。
また、連結軸２２が下降すると上部穴１９と通し穴８の間隔が広がり、ガイドバー２１に設けられた抜け止め部２１ａが上部穴１９に当接し、抜け止め部２１ｂが下部穴１２に当接すると連結軸２２は下降を停止するので、腕部２、２の開動も停止する。
このとき、連結軸２２の停止位置が常に同じであるから腕部２、２の開く停止位置も常に同じである。
連結軸２２の下降停止する位置は枢軸２４、２４よりも上の位置にあるので、掴み歯７、７を当接させるために腕部２、２を握って閉動すると、枢軸２４、２４が互いに近づくから、図１１に示すようにアーム２５、２５を介して連結軸２２は圧縮ばね２６の付勢下げ力に抗して上昇する。
【００４９】
また、連結軸２２はアーム２５、２５に姿勢を抑制されて縦方向にのみ平行移動できるので、連結軸２２に逆Ｕ字状の折り曲げ部４ａが馬乗りに密着して配設されているスクレーパ本体４は連結軸２２と共に縦方向にだけ平行移動でき、水平方向に搖動することはない。
従って、スクレーパ本体４の下端に設けられた掬い刃６、６の幅は、密着摺動する把持部１、１の幅と大きく位置ずれすることなく上下方向にのみ移動することができる。
【００５０】
腕部２、２を握って閉動すると、図１１に示すように連結軸２２が上昇し、スクレーパ本体４も上昇するので、掬い刃６、６は把持部１、１の上方に移動するから、掴み歯７、７が主根１４を掴む機能を邪魔することはない。
【００５１】
図１１の状態から腕部２、２の握りを解放すると、圧縮ばね２６の付勢下げ力により連結軸２２が押し下げられるとアーム２５、２５を介して腕部２、２が押し広げられて開く。
腕部２、２は連結部３の弾性によっても開く方向に付勢されるが、その付勢力は小さい。
即ち、腕部２、２が開動すると、連結軸２２と一緒にスクレーパ本体４が下降すると共に、掬い刃６、６は把持部１、１の内側面に密着摺動して掴み歯７、７と略同じ位置又は掴み歯７、７より下方に突き出る位置まで下降するので、把持部１、１の内側面の先端部まで付着した土１７ａ、土１７ｂを殆ど残さず掬い落とすことができる。
【００５２】
即ち、本発明の第３の実施の形態においては、草抜き作業は片方の手だけで草抜き具を操作すれば良く、腕部２、２を握って閉動することにより掴み歯７、７で主根１４を掴んで引き上げた後、腕部２、２の握りを緩めて開動するだけで自動的に把持部１、１の内側面に付着した土１７ａ、土１７ｂを除去することができる。
従って、土１７ａ、土１７ｂを除去する道具を使うことや、もう一方の手で土落とし作業するなどの煩わしさから解放され、また操作時間が短縮できて効率の良い草抜き作業を続けることができるという効果が得られる。
また、一回の草抜き作業毎に付着物を自動的に除去してくれるので、土１７が把持部１、１に堆積して除去の必要があるかどうかを判断することは不要となるという利点がある。
【実施例４】
【００５３】
次に、図１２における本発明の第４の実施の形態について述べる。
前記本発明を実施するための第３の実施の形態と主に異なる点は、対抗する腕部２、２が左右に分離しており、横断面がコの字形に形成された解放側が互いに向き合っている。
腕部２、２の上方端で互いに重なる部位は腕部支軸３ａにより同時に軸支されて、腕部２、２が開閉動する連結部３となっている。
腕部支軸３ａにはガイドバー２１を挿通する上部穴１９が穿設されており、ガイドバー２１は下部穴１２、通し穴８、及び上部穴１９に挿通して挿通後の両端に抜け止め部２１ａ及び抜け止め部２１ｂを設けている。
その他の構成は本発明の第３の実施の形態と同じである。
【００５４】
即ち、第３の実施の形態と同様に、草抜き作業は片方の手だけで草抜き具を操作すれば良く、腕部２、２を握って閉動することにより掴み歯７、７で主根１４を掴んで引き上げた後、腕部２、２の握りを緩めて開動するだけで自動的に把持部１、１の内側面に付着した土１７ａ、土１７ｂを除去することができる。
従って、土１７ａ、土１７ｂを除去する道具を使うことや、もう一方の手で土落とし作業するなどの煩わしさから解放され、また操作時間が短縮できて効率の良い草抜き作業を続けることができるという効果が得られる。
また、一回の草抜き作業毎に付着物を自動的に除去してくれるので、土１７が把持部１、１に堆積して除去の必要があるかどうかを判断することは不要となるという利点がある。
【実施例５】
【００５５】
次に、図１３における本発明の第５の実施の形態について述べる。
前記本発明を実施するための第３の実施の形態と主に異なる点は、図１０における腕部２、２の長さを伸ばし、伸ばした分を腕部２、２の間に落ち込むように曲げ込み、図１３に示すような逆Ｗ字状の形態とする。
このとき３か所の折り曲げ部のうち上方の左右の折り曲げ部を両側折り曲げ部３１、３１とし、下方の中央の折り曲げ部の底部を腕部２、２の開閉動の中心となる連結部３としている。
図１３においては、逆Ｗ字状に折り曲げた３か所の折り曲げ部はＲ状にしているが、両側折り曲げ部３１、３１は鋭角状に折り曲げても良い。
連結部３にはガイドバー２１を挿通する上部穴１９が穿設されており、ガイドバー２１は下部穴１２、通し穴８、及び上部穴１９に挿通して挿通後の両端に抜け止め部２１ａ及び抜け止め部２１ｂを設けている。
その他の構成は本発明の第３の実施の形態と同じである。
即ち、本発明の第３の実施の形態と同様に、腕部２、２が開動すると、連結軸２２と一緒にスクレーパ本体４が下降すると共に、掬い刃６、６は把持部１、１の内側面に密着摺動して掴み歯７、７と略同じ位置又は掴み歯７、７より下方に突き出る位置まで下降するので、把持部１、１の内側面の先端部まで付着した土１７ａ、土１７ｂを殆ど残さず掬い落とすことができる。
【００５６】
即ち、本発明の第３の実施の形態と同様に、草抜き作業は片方の手だけで草抜き具を操作すれば良く、腕部２、２を握って閉動することにより掴み歯７、７で主根１４を掴んで引き上げた後、腕部２、２の握りを緩めて開動するだけで自動的に把持部１、１の内側面に付着した土１７ａ、土１７ｂを除去することができる。
従って、土１７ａ、土１７ｂを除去する道具を使うことや、もう一方の手で土落とし作業するなどの煩わしさから解放され、また操作時間が短縮できて効率の良い草抜き作業を続けることができるという効果が得られる。
また、一回の草抜き作業毎に付着物を自動的に除去してくれるので、土１７が把持部１、１に堆積して除去の必要があるかどうかを判断することは不要となるという利点がある。
【００５７】
ここで、第３の実施の形態における図１０と、第５の実施の形態における図１３において、腕部２、２を閉じるために必要な力を比較して述べる。
（１）圧縮ばね２６の作用が無いものとして、図１０における逆Ｕ字状の腕部２、２を閉じる力と、図１３における逆Ｗ字状の腕部２、２を閉じる力を比較する。
両者は草抜き具全体の高さ寸法が同じであるので、連結部３から把持部１、１までの腕部２、２の板材の述べ長さは図１３の方が長いから、連結部３のばね力に対して述べ長さの長い方がその分だけ腕部２、２を閉じる力は小さくて良いので、図１３の形態の方が図１０の形態より閉じる力は小さくて良い。
（２）圧縮ばね２６の付勢下げ力に抗して腕部２、２を閉じる力について述べる。
連結軸２２が下降端にあるときの圧縮ばね２６の付勢下げ力は図１０と図１３は等しくしてある。
また、枢軸２４、２４から連結軸２２の下降端までの高さＨは図１０と図１３は等しくしてあるから、アーム２５、２５の傾斜角度も同じである。
従って、圧縮ばね２６の付勢下げ力に抗してアーム２５、２５を介して腕部２、２を閉じる力は、図１０の形態と図１３の形態は共に同じである。
（３）掬い刃６、６が把持部１、１の内側面に付勢する力に抗して腕部２、２を閉じる力について述べる。
掬い刃６、６はスクレーパ本体４の弾性により把持部１、１の内側面にそれぞれ付勢されており、この付勢力に抗して腕部２、２を閉じる力が必要である。
スクレーパ本体４の図１０と図１３における形状は同一であるので、腕部２、２を閉じる力は、図１０の形態と図１３の形態は共に同じである。
スクレーパ本体４の付勢力は、掬い刃６、６が付着した土１７ａ、土１７ｂと把持部１、１の間に潜り込むと把持部１、１の内側面に寄せられるので大きくする必要はない。
【００５８】
以上のことから、腕部２、２を実際に閉じる力は（１）、（２）及び（３）を合わせた力である。
即ち、閉じ力の差は（１）により決まるから、腕部２、２の上端部の形態が逆Ｗ字状に折り曲げた図１３の形態の方が、逆Ｕ字状に折り曲げた図１０の形態より腕部２、２を閉じる力は小さくて良い。
従って、図１３の形態の方が連続して草抜きの繰返し作業を行っても手の疲れ方が少ないという利点がある。
【００５９】
次に、図１４において掴み歯７、７を互いに当接させるときの腕部２、２を閉じる力ついて述べる。
（１）掴み歯７、７が閉じて互いに当接する位置では、連結軸２２が上昇して圧縮ばね２６が圧縮されるので連結軸２２を押し下げる力は大きくなるが、アーム２５、２５は垂直に近い角度になるので、圧縮ばね２６の付勢下げ力により腕部２、２を拡げようとする力は小さい。
（２）また、腕部２、２の延べ長さを長くしているので掴み歯７、７が閉じて主根１４に当接したときの連結部３の付勢開き力により腕部２、２を拡げようとする力は小さい。
従って、腕部２、２を閉じたときの力に抗する力は（１）＋（２）の小さい力であるので、主根１４を引き上げるために腕部２、２を握る手の力は、殆ど全てが掴み歯７、７で主根１４を掴む力に使えることになる。
【００６０】
次に、図１４に示す腕部２、２を閉動するときにおけるガイドバー２１の動きについて述べる。
下部穴１２と挿通穴８の多少のズレがあった場合は、ガイドバー２１はこの２つの穴の中を摺動するときに２つの穴のズレの影響でそれぞれの穴の内径に触接して摺動抵抗を受けるときがある。
上部穴１９とガイドバー２１の嵌合いはスキマがあり、上部穴１９と重なる穴は無いから摺動抵抗は殆ど発生しない。
従って、図１４に示すように腕部２、２を閉動して連結軸２２が上昇すると、ガイドバー２１の上部は連結部３の上方に飛び出すことが多い。
しかし、両側折り曲げ部３１、３１の間の谷間の中に飛び出しているので、操作する手の一部が両側折り曲げ部３１、３１の上部にあっても、ガイドバー２１が手の一部に接触することが無いから邪魔にならないという利点が得られる。
【実施例６】
【００６１】
次に、図１５における本発明の第６の実施の形態について述べる。
前記本発明を実施するための第５の実施の形態と主に異なる点は、図１５に示すように腕部２、２の少なくとも一方の外側面に、掴み歯７、７を地面１６に刺し込む力を指で押して与えるための指当て部４１を設けている。
【００６２】
草Ｇを根こそぎ引き上げるためには、掴み歯７、７で地面１６より少し下の主根１４を掴む必要がある。
そこで、腕部２、２を軽く握って茎１５を掴まない程度に掴み歯７、７を近づけた後、指当て部４１に指を当てて押し下げれば、掴み歯７、７を地面１６に刺し込むことができ、地面１６より少し下の主根１４を挟むことができる。
従って、腕部２、２を握った手が滑らないように注意しながら強くしっかり握らなくても、指当て部４１に指を当てて押し下げれば、地面１６への刺し込み操作が素早く楽にできるから、連続して操作を繰返しても手が疲れないという効果が得られる。
【００６３】
また、図２において、掴み歯７、７で主根１４を掴んだ後、腕部２、２を傾けないで真上に引き上げるとき、腕部２、２を手で握って閉じる力は掴み歯７、７が滑ることのない摩擦抵抗を得る大きさでなければならない。
特に主根１４及び側根１４ａが地中１８にしっかり絡み付いているときは、大きな摩擦抵抗を得るために腕部２、２を握る手の力を大きくして滑らないことを確認しながら真上に引き上げる。
この操作を繰り返すと短時間で手が疲れる。
【００６４】
本発明の第６の実施の形態では図１６に示すように、掴み歯７、７を地面１６に少し刺し込んで主根１４を掴んだ後、掴み歯７、７を刺し込んだ位置を基点にして腕部２、２を指当て部４１側に傾けたときに、指当て部４１の地面１６に当接する位置が地面当接部４２となる。
このように腕部２、２を傾けると、図１７に示すように掴み歯７、７の傾けた側の角部７ａが主根１４に食い込み、主根１４はこの食い込み部から上部が折り曲げられるので、角部７ａとの摩擦力が増すから、腕部２、２を握る力は傾けないで真上に引き上げるときより小さくて良い。
また、角部７ａの主根１４に接触する部分は広い面積を有する平面ではないので、主根１４の水分がしぼり出されても、潤滑効果は殆どない。
角部７ａは鋭利な稜線ではなく、小さく面取りされた形態の稜線となっている。
更に腕部２、２を傾けていくと地面当接部４２が支点となって、掴み歯７、７は引き上げる力Ｔの方向に上昇して主根１４を引き上げる。  
従って、主根１４を掴むときは掴み歯７、７の角部７ａの食い込みが外れない程度の力で腕部２、２を握れば良いので、連続して操作を繰返しても手が疲れにくいという効果が得られる。
【００６５】
また、図２において、掴み歯７、７で主根１４を掴んだ後、腕部２、２を傾けないで真上に引き上げる力を得るには腕の力も使う必要がある。
しかも、引き上げる力には更に腕先の自重を持ち上げる力も加わる。
１本の草Ｇだけ引き上げて抜くのであれば疲れることはないが、繰返し抜く作業を続けると腕が疲れてしまう。
本発明の第６の実施の形態では、図１６に示すように掴み歯７、７を地面１６に少し刺し込んで主根１４を掴んだ後、掴み歯７、７の地面１６に刺し込んだ位置を基点にして腕部２、２を指当て部４１側に傾けて地面当接部４２が地面１６に当接したとき、地面当接部４２から腕部２、２を傾ける作用点Ｆまでの距離をＬ１とし、地面当接部４２から主根１４を掴んだ掴み歯７、７までの距離をＬ２とすると、Ｌ１＞Ｌ２になるように指当て部４１を腕部２、２の外側面に設けている。
従って、主根１４と側根１４ａが地中１８の土にしっかり絡み付いて主根１４を引き上げる力Ｔが大きくても、地面当接部４２を支点としたテコの原理を利用して、腕部２、２を傾ける作用点Ｆに主根１４を引き上げる力Ｔよりも小さい力を与えるだけで、主根１４及び側根１４ａを楽に引き上げることができる。
作用点Ｆに与える力は、腕を上方に持ち上げる力は必要なく腕部２、２を横方向に傾ける小さい力だけで良いから、繰返し草抜き操作を続けても腕の疲れが少ないという効果が得られる。
【００６６】
本発明における第６の実施の形態の効果をまとめると、腕部２、２の外側面に指当て部４１を設けたことにより次の３つの効果を得ることができる。
（１）指当て部４１を指で押し下げると掴み歯７、７を地面１６に素早く楽に刺し込みできるので、腕部２、２を強く握って滑らないように注意しながら押し下げる必要はないから、連続して操作を繰返しても手の疲労が少ない。
（２）掴み歯７、７で茎１５を跨いで地面１６に浅く刺し込んでから主根１４を掴んだ位置を基点にして傾けたとき、掴み歯７、７の傾けた側の角部７ａが主根１４に食い込むので、掴みの摩擦抵抗が大きくなる。
更に主根１４が食い込み部から折り曲げられることにより掴みの摩擦抵抗が大きくなる。
この二つの摩擦抵抗が合成されたことにより、主根１４を把持する力は小さくても主根１４を引き上げる力Ｔが得られるので、腕部２、２を握る手の力は弱くて良いので手の疲労が少ない。
（３）主根１４を掴んだ後、引き上げる力Ｔを得るためには、地面当接部４２を支点としたテコの原理を利用して、引き上げる力Ｔよりも小さい横方向の力を腕部２、２の作用点Ｆに与えれば良いから連続して操作を繰返しても腕の疲労が少ない。
以上のことから、本発明の第６の実施の形態においては従来よりも小さい力で草抜き操作できるので連続作業を行っても疲労が少ないから、操作速度を落とすことなく効率の良い草抜き作業を続けることができるという効果が得られる。
【産業上の利用可能性】
【００６７】
本発明は、草抜き具を製造する産業で利用される。
【符号の説明】
【００６８】
１    把持部
２    腕部
３    連結部  
３ａ  腕部支軸
４    スクレーパ本体  
４ａ  逆Ｕ字状の折り曲げ部
５    スリーブ
６    掬い刃
７    掴み歯
７ａ  角部
８    通し穴
９    押し棒
１０  押し上げばね
１１  ノブ
１２  下部穴
１３  葉
１４  主根
１４ａ  側根
１５  茎
１６  地面
１７  挟まれた土
１７ａ  土
１７ｂ  土
１８  地中
１９  上部穴
２０  ガイドレール
２１  ガイドバー
２１ａ  抜け止め部
２１ｂ  抜け止め部
２２  連結軸
２３  側板
２４  枢軸
２５  アーム
２６  圧縮ばね
３１  両側折り曲げ部
４１  指当て部
４２  地面当接部
Ｆ    作用点
Ｇ    草
Ｔ    引き上げる力
【図１】
2018061441.tif 000003
【図２】
2018061441.tif 000004
【図３】
2018061441.tif 000005
【図４】
2018061441.tif 000006
【図５】
2018061441.tif 000007
【図６】
2018061441.tif 000008
【図７】
2018061441.tif 000009
【図８】
2018061441.tif 000010
【図９】
2018061441.tif 000011
【図１０】
2018061441.tif 000012
【図１１】
2018061441.tif 000013
【図１２】
2018061441.tif 000014
【図１３】
2018061441.tif 000015
【図１４】
2018061441.tif 000016
【図１５】
2018061441.tif 000017
【図１６】
2018061441.tif 000018
【図１７】
2018061441.tif 000019
【図１８】
2018061441.tif 000020